(57)【特許請求の範囲】
【請求項１】
キャリアアグリゲーションをサポートする移動通信システムにおいて基地局と通信を行うユーザ装置であって、
過去に測定を行った通信中でないセルのうち、品質が良好であったセルを仮想ＳＣｅｌｌとして管理する管理手段と、
前記仮想ＳＣｅｌｌとして管理されるセルの情報を前記基地局に通知する通知手段と
を備えることを特徴とするユーザ装置。
【請求項２】
前記管理手段は、前記基地局からの指示に基づいて、前記仮想ＳＣｅｌｌとして管理されているセルをキャリアアグリゲーションのＳＣｅｌｌとして設定する
ことを特徴とする請求項１に記載のユーザ装置。
【請求項３】
前記管理手段は、
前記測定により得られた品質が所定閾値よりも良好なセルの情報を格納する格納手段と、
前記格納手段に情報が格納されているセルのうち、前記ユーザ装置の能力によりキャリアアグリゲーションに使用可能であるセルの情報を仮想ＳＣｅｌｌの情報として管理する仮想ＳＣｅｌｌ処理手段と
を備えることを特徴とする請求項１又は２に記載のユーザ装置。
【請求項４】
前記管理手段は、前記基地局から測定指示を受信した場合に、前記仮想ＳＣｅｌｌの管理を解除する
ことを特徴とする請求項１ないし３のうちいずれか１項に記載のユーザ装置。
【請求項５】
前記管理手段は、前記セルを前記仮想ＳＣｅｌｌとして管理する場合に、前記ユーザ装置の無線部に対して、当該セルを非アクティベート化されたＳＣｅｌｌと見なして動作を行うように指示する
ことを特徴とする請求項１ないし４のうちいずれか１項に記載のユーザ装置。
【請求項６】
キャリアアグリゲーションをサポートする移動通信システムにおいてユーザ装置と通信を行う基地局であって、
前記ユーザ装置において過去に測定を行った通信中でないセルのうち、品質が良好であったセルが仮想ＳＣｅｌｌとして管理される場合に、当該仮想ＳＣｅｌｌとして管理されるセルの情報を前記ユーザ装置から受信する受信手段と、
前記仮想ＳＣｅｌｌとして管理されるセルの情報に基づいて、前記ユーザ装置に対して当該セルをＳＣｅｌｌとして追加するか否かを判定する判定手段と
を備えることを特徴とする基地局。
【請求項７】
前記判定手段は、前記仮想ＳＣｅｌｌとして管理されるセルが前記基地局の配下のセルであり、かつ、当該セルの品質が十分に良い場合に、前記ユーザ装置に対して当該セルをＳＣｅｌｌとして追加すると判定する
ことを特徴とする請求項６に記載の基地局。
【請求項８】
キャリアアグリゲーションをサポートする移動通信システムにおいて基地局と通信を行うユーザ装置が実行するセル管理方法であって、
過去に測定を行った通信中でないセルのうち、品質が良好であったセルを仮想ＳＣｅｌｌとして管理するステップと、
前記仮想ＳＣｅｌｌとして管理されるセルの情報を前記基地局に通知するステップと
を備えることを特徴とするセル管理方法。
【請求項９】
キャリアアグリゲーションをサポートする移動通信システムにおいてユーザ装置と通信を行う基地局が実行するキャリアアグリゲーション判定方法であって、
前記ユーザ装置において過去に測定を行った通信中でないセルのうち、品質が良好であったセルが仮想ＳＣｅｌｌとして管理される場合に、当該仮想ＳＣｅｌｌとして管理されるセルの情報を前記ユーザ装置から受信するステップと、
前記仮想ＳＣｅｌｌとして管理されるセルの情報に基づいて、前記ユーザ装置に対して当該セルをＳＣｅｌｌとして追加するか否かを判定するステップと
を備えることを特徴とするキャリアアグリゲーション判定方法。
【発明の詳細な説明】
【技術分野】
【０００１】
本発明は、キャリアアグリゲーションをサポートする移動通信システムにおけるユーザ装置ＵＥ及び基地局ｅＮＢに関連するものである。
【背景技術】
【０００２】
ＬＴＥシステムでは、所定の帯域幅（最大２０ＭＨｚ）を基本単位として、複数のキャリアを同時に用いて通信を行うキャリアアグリゲーション（ＣＡ：Ｃａｒｒｉｅｒ  Ａｇｇｒｅｇａｔｉｏｎ）が採用されている（非特許文献１）。キャリアアグリゲーションにおいて基本単位となるキャリアはコンポーネントキャリア（ＣＣ：Ｃｏｍｐｏｎｅｎｔ  Ｃａｒｒｉｅｒ）と呼ばれる。
【０００３】
ＣＡが行われる際には、ユーザ装置ＵＥに対して、接続性を担保する信頼性の高いセルであるＰＣｅｌｌ（Ｐｒｉｍａｒｙ  ｃｅｌｌ）及び付随的なセルであるＳＣｅｌｌ（Ｓｅｃｏｎｄａｒｙ  ｃｅｌｌ）が設定される。ユーザ装置ＵＥは、第１に、ＰＣｅｌｌに接続し、必要に応じて、ＳＣｅｌｌを追加することができる。ＰＣｅｌｌは、ＲＬＭ（Ｒａｄｉｏ  Ｌｉｎｋ  Ｍｏｎｉｔｏｒｉｎｇ）及びＳＰＳ（Ｓｅｍｉ-Ｐｅｒｓｉｓｔｅｎｔ  Ｓｃｈｅｄｕｌｉｎｇ）等をサポートする単独のセルと同様のセルである。
【０００４】
ＳＣｅｌｌは、ＰＣｅｌｌに追加されてユーザ装置ＵＥに対して設定されるセルである。ＳＣｅｌｌの追加及び削除は、ＲＲＣ（Ｒａｄｉｏ  Ｒｅｓｏｕｒｃｅ  Ｃｏｎｔｒｏｌ）シグナリングによって行われる（非特許文献２）。ＳＣｅｌｌは、ユーザ装置ＵＥに対して設定された直後は、非アクティブ状態（ｄｅａｃｔｉｖａｔｅ状態）であるため、アクティブ化することで初めて通信可能（スケジューリング可能）となるセルである。
【先行技術文献】
【非特許文献】
【０００５】
【非特許文献１】３ＧＰＰ  ＴＳ  ３６．３００  Ｖ１２．１．０  （２０１４−０３）
【非特許文献２】３ＧＰＰ  ＴＳ  ３６．３３１  Ｖ１２．２．０  （２０１４−０６）
【非特許文献３】３ＧＰＰ  ＴＳ  ３６．１３３  Ｖ１２．４．０  （２０１４−０７）
【発明の概要】
【発明が解決しようとする課題】
【０００６】
図１に、ユーザ装置ＵＥと基地局ｅＮＢ間の通信をＮｏｎ−ＣＡ状態からＣＡ状態に遷移させる場合の手順例を示す。図１を参照して手順概要を説明する。
【０００７】
図１に示すように、Ｎｏｎ−ＣＡ状態（ステップ１）において、基地局ｅＮＢがユーザ装置ＵＥに対して周辺セルの品質測定を指示する（ステップ２）。ユーザ装置ＵＥは、測定を行って（ステップ３）、測定結果を基地局ｅＮＢに返す（ステップ４）。基地局ｅＮＢは、ユーザ装置ＵＥから受信した測定結果に基づき、ＣＡを設定することを決定し（ステップ５）、ＳＣｅｌｌの追加を指示する（ステップ６）。そして、ＣＡ状態になり（ステップ７）、ユーザ装置ＵＥから基地局ｅＮＢへ設定完了の確認メッセージが送信される（ステップ８）。
【０００８】
上記のステップ２では、ユーザ装置ＵＥに対してＲＲＣ信号による測定指示を行うことで異周波セルの品質の測定をさせている。
【０００９】
ユーザ装置ＵＥは、通信中の周波数とは異なる周波数の無線品質を測定する際に、受信周波数を該当周波数に合わせるためにＲＦ  ｔｕｎｉｎｇ（無線チューニング）をする必要があり、その際に、現状の通信を一旦中断する必要があることから、基地局ｅＮＢから受信する測定指示により、周期的に訪れるＭｅａｓｕｒｅｍｅｎｔ  ｇａｐが設定される。
【００１０】
Ｍｅａｓｕｒｅｍｅｎｔ  Ｇａｐを設定すると、その分通信に割り当てることのできるＳｕｂｆｒａｍｅ数が削減されてしまうため、スループットが低下する。また、図１に示すように、測定の指示、測定報告の手順が発生することにより、ＣＡ状態に遷移するまで時間がかかり、ＣＡのメリットを最大限に享受できない。
【００１１】
本発明は、上記の点に鑑みてなされたものであり、移動通信システムにおいて、キャリアアグリゲーションを設定する手順を簡易化することを可能とする技術を提供することを目的とする。
【課題を解決するための手段】
【００１２】
本発明の実施の形態によれば、キャリアアグリゲーションをサポートする移動通信システムにおいて基地局と通信を行うユーザ装置であって、
過去に測定を行った通信中でないセルのうち、品質が良好であったセルを仮想ＳＣｅｌｌとして管理する管理手段と、
前記仮想ＳＣｅｌｌとして管理されるセルの情報を前記基地局に通知する通知手段とを備えるユーザ装置が提供される。
【００１３】
また、本発明の実施の形態によれば、キャリアアグリゲーションをサポートする移動通信システムにおいて基地局と通信を行うユーザ装置が実行するセル管理方法であって、
過去に測定を行った通信中でないセルのうち、品質が良好であったセルを仮想ＳＣｅｌｌとして管理するステップと、
前記仮想ＳＣｅｌｌとして管理されるセルの情報を前記基地局に通知するステップとを備えるセル管理方法が提供される。
【００１４】
また、本発明の実施の形態によれば、キャリアアグリゲーションをサポートする移動通信システムにおいてユーザ装置と通信を行う基地局が実行するキャリアアグリゲーション判定方法であって、
前記ユーザ装置において過去に測定を行った通信中でないセルのうち、品質が良好であったセルが仮想ＳＣｅｌｌとして管理される場合に、当該仮想ＳＣｅｌｌとして管理されるセルの情報を前記ユーザ装置から受信するステップと、
前記仮想ＳＣｅｌｌとして管理されるセルの情報に基づいて、前記ユーザ装置に対して当該セルをＳＣｅｌｌとして追加するか否かを判定するステップとを備えるキャリアアグリゲーション判定方法が提供される。
【発明の効果】
【００１５】
本発明の実施の形態によれば、移動通信システムにおいて、キャリアアグリゲーションを設定する手順を簡易化することが可能となる。
【図面の簡単な説明】
【００１６】
【図１】課題を説明するための図である。
【図２】本発明の実施の形態に係る通信システムの構成図である。
【図３】本実施の形態における処理手順の例を示すシーケンス図である。
【図４】ユーザ装置ＵＥの機能構成例を示す図である。
【図５】ユーザ装置ＵＥの機能構成例を示す図である。
【図６】ユーザ装置ＵＥにおいて管理されるテーブルの例を示す図である。
【図７】ユーザ装置ＵＥの動作例を説明するためのフローチャートである。
【図８】基地局ｅＮＢの機能構成例を示す図である。
【図９】基地局ｅＮＢの動作例を説明するためのフローチャートである。
【発明を実施するための形態】
【００１７】
以下、図面を参照して本発明の実施の形態を説明する。なお、以下で説明する実施の形態は一例に過ぎず、本発明が適用される実施の形態は、以下の実施の形態に限られるわけではない。また、本実施の形態では、ＬＴＥの移動通信システムを対象とするが、本発明はＬＴＥに限らず他の移動通信システムにも適用可能である。また、本実施の形態において、「ＬＴＥ」と記述した場合のＲｅｌ（リリース番号）は、キャリアアグリゲーション（ＣＡ）が規定されるＲｅｌであればどのＲｅｌでもよい。
【００１８】
（システム全体構成、動作概要）
図２に、本発明の実施の形態における通信システムの構成図を示す。図２に示すように、本実施の形態における通信システムは、基地局ｅＮＢとユーザ装置ＵＥとを含むシステムである。基地局ｅＮＢとユーザ装置ＵＥとでＣＡ通信を行うことが可能である。図２では、基地局ｅＮＢとユーザ装置ＵＥはそれぞれ１つずつ示されているが、これは図示の便宜上のものであり、それぞれ複数存在してもよい。
【００１９】
また、図２の例では、１つのセルが示されているが、これも図示の便宜上のものであり、複数のセルが存在してもよい。また、例えば、基地局ｅＮＢから離れた場所に、基地局ｅＮＢと光ファイバ等で接続されるＲＲＨ（Ｒｅｍｏｔｅ  Ｒａｄｉｏ  Ｈｅａｄ）が備えられる構成であってもよい。
【００２０】
（処理シーケンス例）
本実施の形態では、ユーザ装置ＵＥは、過去に測定を行ったセルのうち、現在通信中でない品質が良かったセルを「仮想ＳＣｅｌｌ」として管理するとともに、「仮想ＳＣｅｌｌ」の情報を基地局ｅＮＢに通知する。そして、基地局ｅＮＢは、当該ユーザ装置ＵＥとの間でＣＡを行うか否かの決定のためにユーザ装置ＵＥに対する測定指示を行うことなく、「仮想ＳＣｅｌｌ」の情報に基づいてＣＡを行うか否かを決定し、ＣＡを行う場合に仮想ＳＣｅｌｌをＣＡのＳＣｅｌｌとして追加するよう指示する動作を実施する。
【００２１】
以下、上記の動作を含む処理シーケンス例を図３を参照して説明する。図３では、ハンドオーバを実施し、「過去に測定を行ったセル」を、ハンドオーバ前に接続していたセルとしているが、これは一例である。「過去に測定を行ったセル」は、これに限られない。例えば、「過去に測定を行ったセル」が、測定指示に基づき測定したセルでなく、Ｉｄｌｅ状態のときにｃｅｌｌ  ｓｅｌｅｃｔｉｏｎ／ｒｅｓｅｌｅｃｔｉｏｎのために測定したセルであってもよい。
【００２２】
図３の最初の状態において、ユーザ装置ＵＥはセルＡに接続し、通信を行っているものとする。また、セルＡの測定結果を保持しているものとする。この測定結果は、例えば、セルＡへの在圏時の測定結果であってもよいし、例えば定期的な測定を指示する測定指示に基づいて測定を行った測定結果であってもよい。
【００２３】
図３に示すように、Ｎｏｎ−ＣＡ状態（ステップ１０１）において、基地局ｅＮＢがユーザ装置ＵＥに対して周辺セルの品質測定を指示し（ステップ１０２）、ユーザ装置ＵＥは、測定を行う（ステップ１０３）。ここで測定する量は、ステップ１０２における指示内容に応じた量であり、例えば、ＲＳＲＰ及び／又はＲＳＲＱである。これらを総称して「品質」もしくは「受信品質」と呼ぶ。
【００２４】
ステップ１０３において、ユーザ装置ＵＥは、セルＢの受信品質が良好であることを示す測定結果を得たとする。ユーザ装置ＵＥは、測定結果（セルＢのセルＩＤ、周波数、品質を含む）を基地局ｅＮＢ（セルＡ）に通知する（ステップ１０４）。基地局ｅＮＢは、ユーザ装置ＵＥが接続すべきセルをセルＢであると決定し、ユーザ装置ＵＥに対してセルＢへのハンドオーバを行わせる（ステップ１０５）。
【００２５】
一方、セルＡとの接続を切断し、セルＡでの通信を行わなくなったユーザ装置ＵＥは、ステップ１０６において、セルＡを仮想ＳＣｅｌｌとして管理することで、仮想ＣＡ状態に遷移する。セルＡを仮想ＳＣｅｌｌとして管理するとは、例えば、セルＡの情報（セルＩＤ、周波数、品質等）を、仮想ＳＣｅｌｌの情報として管理（格納）する等である。
【００２６】
なお、仮想ＳＣｅｌｌは、通常のＳＣｅｌｌとは異なり、無線リソース等の設定はしないため、仮想ＣＡ状態では、ＣＡは行われていない。ただし、モデム（無線部）は仮想ＳｃｅｌｌのＣＣ（周波数）を、Ｓｅｃｏｎｄａｒｙ  ＣＣとしてチューニングする。これにより、ユーザ装置ＵＥは、仮想ＳＣｅｌｌについて、これがＤｅａｃｔｉｖａｔｅｄ  ＳＣｅｌｌであるとした場合と同様に、当該セルと同一ＣＣ（周波数）の他セルの測定をＭｅａｓｕｒｅｍｎｔ  Ｇａｐなしに行うことができる。
【００２７】
ステップ１０７において、ユーザ装置ＵＥは、仮想ＳＣｅｌｌ情報通知信号を基地局ｅＮＢ（セルＢ）に送信する。仮想ＳＣｅｌｌ情報通知信号には、仮想ＳＣｅｌｌとして管理されているセルのセル固有情報（本例ではセルＡのセルＩＤ）と、過去に測定した当該セルの品質が含まれる。なお、仮想ＳＣｅｌｌ情報通知信号は、ＲＲＣ信号であってもよいし、ＭＡＣ信号であってもよいし、その他の信号であってもよい。
【００２８】
仮想ＳＣｅｌｌ情報通知信号を受信した基地局ｅＮＢは、仮想ＳＣｅｌｌ情報通知信号により通知されたセルＩＤと品質とに基づいて、ユーザ装置ＵＥに対して当該セルを追加することにより、ＣＡを行うか否かを判断する。具体的な判断方法については後述する。図３の例では、基地局ｅＮＢは、ＣＡを行うと判断し（ステップ１０８）、セルＡをＳＣｅｌｌとして追加するようユーザ装置ＵＥに指示する（ステップ１０９）。その後、ユーザ装置と基地局ｅＮＢ間でＣＡが開始され（ステップ１１０）、ユーザ装置ＵＥから基地局ｅＮＢへ設定完了の確認メッセージが送信される（ステップ１１１）。
【００２９】
上記のように、本実施の形態において、ユーザ装置ＵＥは、基地局ｅＮＢから測定を指示されるより先に、自律でＳＣｅｌｌ候補となりうるセルを「仮想ＳＣｅｌｌ」として準備しておくこととしたので、Ｎｏｎ−ＣＡ状態からＣＡ状態への遷移手順を簡易化でき、遷移に要する時間を短縮できる。
【００３０】
なお、本実施の形態では、過去に測定したセルの品質に基づいてＳＣｅｌｌ追加判定を行うことから、測定時のセルの品質と、ＳＣｅｌｌ追加判定時における当該セルの品質との間に大きな相違が生じている可能性が考えられるが、大きな相違があっても、実害はない。以下、各状態に分けて説明する。
【００３１】
（１）仮想ＣＡ状態
仮想ＣＡ状態においては、当該セルを使用した通信は行われないので実害はない。
【００３２】
（２）ＳＣｅｌｌとして追加後（Ｄｅａｃｔｉｖａｔｅｄ状態）
この場合も当該セルを使用した通信は行われないので実害はない。また、このとき、そのＣＣ（周波数）上の他のセルに対してのＭｅａｓｕｒｅｍｅｎｔ  Ｇａｐの起動は不要であり、その分のスループットの低減を回避できる。更に、当該セルの品質が非常に悪くなっている場合、ＳＣｅｌｌとして削除される。
【００３３】
（３）Ｓｃｅｌｌとして追加後（Ａｃｔｉｖａｔｅｄ状態）
品質が非常に悪くなっている場合は、ＳＣｅｌｌとして削除される。このとき、ＳＣｅｌｌとしての通信の寄与ができないため、ＣＡ状態でもＰＣｅｌｌ分のスループットしか出ないが、それでもＭｅａｓｕｒｅｍｅｎｔ  Ｇａｐ起動による悪影響と比較するとメリットがある。
【００３４】
以下では、上記のシーケンスの動作を実行するユーザ装置ＵＥと基地局ｅＮＢの構成及び動作例を説明する。
【００３５】
（ユーザ装置ＵＥの構成、動作）
図４に、本実施の形態におけるユーザ装置ＵＥの機能構成図を示す。図４に示すように、本実施の形態のユーザ装置ＵＥは、ＤＬ信号受信部１０１、ＵＬ信号送信部１０２、測定制御部１０３、ＣＡ制御部１０４を含む。なお、図４は、ユーザ装置ＵＥにおいて本発明の実施の形態に特に関連する機能部のみを示すものであり、ユーザ装置ＵＥは、少なくともＬＴＥに準拠した移動通信システムにおけるユーザ装置ＵＥとして動作するための図示しない機能も有するものである。また、図４に示す機能構成は一例に過ぎない。本実施の形態に係る動作を実行できるのであれば、機能区分や機能部の名称はどのようなものでもよい。
【００３６】
ＤＬ信号受信部１０１は、基地局ｅＮＢから各種の信号を無線受信し、受信した物理レイヤの信号からより上位のレイヤの信号を取得する機能を含む。ＵＬ信号送信部１０２は、ユーザ装置ＵＥから送信されるべき上位のレイヤの信号から、物理レイヤの各種信号を生成し、無線送信する機能を含む。
【００３７】
測定制御部１０３は、基地局ｅＮＢからの指示に基づいて、もしくは、自律的に、セルの品質測定を行うとともに、測定結果を記憶手段（メモリ等）に保持し、通信に使用しないセルのセルＩＤと品質（過去に測定したセルの品質）等を仮想ＳＣｅｌｌの情報としてＣＡ制御部１０４に通知する機能を有する。
【００３８】
ＣＡ制御部１０４は、ＣＡを構成するセル（ＣＣ）の管理、追加、削除、アクティベート、ディアクティベート等を行うとともに、仮想ＳＣｅｌｌの管理・制御等を実施する。
【００３９】
図５に、ユーザ装置ＵＥの機能構成の他の例を示す。図５は、図４に比べて、より実装に近い形で機能構成を示したものである。
【００４０】
図５に示す例において、ユーザ装置ＵＥは、無線部２０１、Ｌ２処理部２０２、ＲＲＣ処理部２０３を有する。また、ＲＲＣ処理部２０３は、測定結果管理部２１３と仮想ＳＣｅｌｌ処理部２２３を含む。
【００４１】
無線部２０１は、基地局ｅＮＢとの間の無線インタフェースにおけるＰＨＹ（Ｐｈｙｓｉｃａｌ）レイヤの処理を実行する。Ｌ２処理部２０２は、ＭＡＣ（Ｍｅｄｉａ  Ａｃｃｅｓｓ  Ｃｏｎｔｒｏｌ）レイヤ、ＲＬＣ（Ｒａｄｉｏ  Ｌｉｎｋ  Ｃｏｎｔｒｏｌ）レイヤ、ＰＤＣＰ（Ｐａｃｋｅｔ  Ｄａｔａ  Ｃｏｎｖｅｒｇｅｎｃｅ  Ｐｒｏｔｏｃｏｌ）レイヤの処理を実行する。ＲＲＣ処理部２０３は、ＲＲＣ（Ｒａｄｉｏ  Ｒｅｓｏｕｒｃｅ  Ｃｏｎｔｒｏｌ）レイヤの処理を実行する。
【００４２】
本実施の形態では、ＲＲＣ処理部２０３の中に仮想ＳＣｅｌｌ処理に関する機能部である測定結果管理部２１３と仮想ＳＣｅｌｌ処理部２２３が含まれる。なお、図４との関係でいえば、例えば、測定結果管理部２１３の機能は図４の測定制御部１０３に含まれ、仮想ＳＣｅｌｌ処理部２２３の機能は図４のＣＡ制御部１０４に含まれる。また、仮想ＳＣｅｌｌ処理部２２３は、無線部２０１とのインターフェース（ＩＦ）を有する。
【００４３】
前述したように、ユーザ装置ＵＥは、測定を行ったセルの情報を保持するとともに、当該セルの情報を仮想ＳＣｅｌｌとして管理する動作を行う。図６に、ユーザ装置ＵＥにおいて当該セルの情報を保持するテーブルの例を示す。図６に示すように、当該テーブルは物理セルＩＤ、周波数、測定結果である品質を対応付けて格納する。測定結果管理部２１３は、ユーザ装置ＵＥにより測定されたセルの測定結果を図６に示す形で保持する。なお、保持する測定結果は、品質が所定の閾値を超えたセルのみとする。また、測定結果を記録してから、更新がないまま所定期間を経過したセルの情報を破棄することとしてもよい。測定結果管理部２１３は、図６に示すテーブルのサブセット（のテーブル）を仮想ＳＣｅｌｌの情報として保持する。
【００４４】
次に、図７のフローチャートを参照して、図５に示すユーザ装置ＵＥの動作例として、仮想ＳＣｅｌｌに関する動作例を説明する。
【００４５】
測定結果管理部２１３は、ユーザ装置ＵＥが現在通信中の周波数を含む、各周波数（ＣＣ）毎に、測定がなされたセルに対して、測定結果が所定の閾値を超えたセルの情報を図６に示したテーブルの形で記憶する（ステップ２０１）。前述したように、記憶したセルの情報を所定期間後に破棄するようにしてもよい。
【００４６】
上記所定の閾値については、予めユーザ装置ＵＥ内部で保持されていてもよいし、事前に基地局ｅＮＢからＲＲＣ信号や報知信号でユーザ装置ＵＥに通知することとしてもよい。
【００４７】
ユーザ装置ＵＥがＮｏｎ−ＣＡ状態になったときに、測定結果管理部２１３は、テーブルに記憶しているセルの中から、ユーザ装置ＵＥ自身のＣａｐａｂｉｌｉｔｙ上、ＣＡの対象とできるＣＣに該当するセルを仮想ＳＣｅｌｌ候補として選択し、当該セルの情報（セルＩＤ、周波数、品質等）を仮想Ｓｃｅｌｌ処理部２２３に通知する（ステップ２０２）。仮想Ｓｃｅｌｌ候補が複数ある場合には、当該複数のセルを通知してもよいし、例えば品質の良いものから所定個（例：１個）のセルを通知してもよい。
【００４８】
なお、「Ｎｏｎ−ＣＡ状態になったとき」とは、例えば、ある１つのセルと通信を開始したとき、ＣＡ状態においてＳＣｅｌｌが削除されてＣＡ状態ではなくなったとき、等である。
【００４９】
測定結果管理部２１３から仮想Ｓｃｅｌｌ候補の情報を受信した仮想ＳＣｅｌｌ処理部２２３は、受信したセルの情報を仮想ＳＣｅｌｌの情報としてテーブルに記憶するとともに、仮想ＣＡ状態を起動して、無線部２０１に対して、指定のセルに関してＤｅａｃｔｉｖａｔｅｄ  Ｓｃｅｌｌと同様の動作を行うように通知し、更に、基地局ｅＮＢに仮想ＳＣｅｌｌ情報通知信号を送信する（ステップ２０３）。
【００５０】
なお、「仮想ＣＡ状態を起動する」とは、例えば、仮想ＳＣｅｌｌ処理部２２３が、仮想ＣＡ状態か否かを示すフラグを持ち、当該フラグを立てるとともに、上記のように無線部２０１への通知、及び基地局ｅＮＢへの通知を行うことに相当する。仮想ＣＡ状態が解除された場合は当該フラグは削除される。
【００５１】
仮想ＣＡ状態において、仮想Ｓｃｅｌｌ処理部２２３は、仮想ＳＣｅｌｌ状態解除トリガを検知すると（ステップ２０４）、仮想ＳＣｅｌｌ情報を削除することにより仮想ＣＡ状態を解除する。また、このとき、無線部２０１へ仮想ＣＡ状態解除を通知し、「Ｄｅａｃｔｉｖａｔｅｄ  Ｓｃｅｌｌと同様の動作」を解除する。
【００５２】
「仮想ＳＣｅｌｌ状態解除トリガ」は、例えば、基地局ｅＮＢから正式にＳＣｅｌｌ追加指示を受けたこと、基地局ｅＮＢからＳＣｅｌｌ測定指示を受けたこと、再接続が発生したこと等である。
【００５３】
上記のように、仮想Ｓｃｅｌｌを無線部２０１（モデム）側でＤｅａｃｔｉｖａｔｅｄ  ＳＣｅｌｌとして扱わせることにより、異周波測定の際に、仮想ＳＣｅｌｌと同じＣＣ（周波数）のセルの測定においては、Ｄｅａｃｔｉｖａｔｅｄ  ＳＣｅｌｌがあるＣＣ（周波数）の測定の規定（非特許文献３）に準拠した動作を行うことができる。よって、その際には３ＧＰＰの標準規定上必要であるＭｅａｓｕｒｅｍｅｎｔ  Ｇａｐの設定が不要となり、その分のスループットの劣化を回避する事ができる。
【００５４】
なお、本実施の形態における「仮想ＳＣｅｌｌ」と「Ｄｅａｃｔｉｖａｔｅｄ  Ｃｅｌｌ」との間には、例えば、Ｌ２レベルのＵＥ動作において、仮想ＳＣｅｌｌはＬ２（ＭＡＣレベル）での動作はないが、Ｄｅａｃｔｉｖａｔｅｄ  ＳＣｅｌｌにおいては、Ａｃｔｉｖａｔｅｄ  ＳＣｅｌｌ状態への遷移の指示がＭＡＣで送信されてこないかを監視する必要があるという点で大きな相違がある。また、Ｌ３（ＲＲＣレベル）において、基地局ｅＮＢは、ＵＥへの指示を行う関係上、Ｄｅａｃｔｉｖａｔｅｄ  Ｓｃｅｌｌを必ず認識しているが、仮想ＳＣｅｌｌについては、ユーザ装置ＵＥから報告を受信するまで、基地局ｅＮＢ側では認識しなくてよい。このように、仮想ＳＣｅｌｌ」と「Ｄｅａｃｔｉｖａｔｅｄ  Ｃｅｌｌ」との間には大きな相違がある。
【００５５】
（基地局ｅＮＢの構成、動作）
図８に、本実施の形態における基地局ｅＮＢの機能構成図を示す。図８に示すように、基地局ｅＮＢは、ＤＬ信号送信部３０１、ＵＬ信号受信部３０２、仮想ＳＣｅｌｌ情報処理部３０３、ＣＡ制御部３０４を含む。なお、図８は、基地局ｅＮＢにおいて本発明の実施の形態に特に関連する機能部のみを示すものであり、基地局ｅＮＢは、少なくともＬＴＥに準拠した移動通信システムにおける基地局として動作するための図示しない機能も有するものである。また、図８に示す機能構成は一例に過ぎない。本実施の形態に係る動作を実行できるのであれば、機能区分や機能部の名称はどのようなものでもよい。
【００５６】
ＤＬ信号送信部３０１は、基地局ｅＮＢから送信されるべき上位のレイヤの信号から、物理レイヤの各種信号を生成し、無線送信する機能を含む。ＵＬ信号受信部３０２は、ユーザ装置ＵＥから各種の信号を無線受信し、受信した物理レイヤの信号からより上位のレイヤの信号を取得する機能を含む。
【００５７】
仮想ＳＣｅｌｌ情報処理部３０３は、ユーザ装置ＵＥから受信する仮想ＳＣｅｌｌ情報通知信号に含まれる仮想ＳＣｅｌｌ情報に基づいて、ＣＡを行うか否か等の判断を行う。具体的な処理例については後述する。ＣＡ制御部３０４は、ユーザ装置ＵＥへのＣＡ設定（ＳＣｅｌｌ追加）指示、ＣＡの管理、ＳＣｅｌｌのａｃｔｉｖａｔｉｏｎ／ｄｅａｃｔｉｖａｔｉｏｎ等のＣＡに関する制御を実施する。
【００５８】
次に、基地局ｅＮＢにおける仮想ＳＣｅｌｌ情報処理部３０３により実行される動作の例について図９のフローチャートを参照して説明する。なお、以下の動作は一例であり、他にも様々な動作が可能である。
【００５９】
基地局ｅＮＢがユーザ装置ＵＥから仮想ＳＣｅｌｌ情報通知信号を受信すると（ステップ３０１）、仮想ＳＣｅｌｌ情報通知信号に含まれる仮想ＳＣｅｌｌ情報（セルＩＤ、品質等）が仮想ＳＣｅｌｌ情報処理部３０３に渡される。
【００６０】
仮想ＳＣｅｌｌ情報処理部３０３は、仮想ＳＣｅｌｌ情報を確認し、報告されたセルＩＤのセルが基地局ｅＮＢ自身の管理下にあるかどうかを確認し（ステップ３０２）、管理下であればステップ３０３に進み、当該セルの品質が十分であるかどうか（例：所定閾値よりもよいかどうか）を判定する。
【００６１】
ステップ３０３での判定結果がＹｅｓであれば、仮想ＳＣｅｌｌ情報処理部３０３は、当該セルをＳＣｅｌｌとして追加する（つまり、ＣＡを設定する）と決定する（ステップ３０４）。この場合、ＣＡ制御部３０４により、ＳＣｅｌｌ追加指示がユーザ装置ＵＥに送信される。
【００６２】
ステップ３０３での判定結果がＮｏ、つまり、報告されたセルが自分の管理下にあるが品質が十分でない場合、Ｍｅａｓｕｒｅｍｅｎｔ  Ｇａｐの設定なしで、仮想ＳＣｅｌｌと同一ＣＣ（周波数）の測定をユーザ装置ＵＥに指示し、仮想ＳＣｅｌｌ情報を破棄する（ステップ３０５）。ステップ３０５は、仮想ＳＣｅｌｌと同一のＣＣ（周波数）の周辺セルがある場合にのみ実行される。仮想ＳＣｅｌｌと同一のＣＣ（周波数）の周辺セルがない場合、ここでＭｅａｓｕｒｅｍｅｎｔ  Ｇａｐの設定ありで、ＳＣｅｌｌ候補測定をユーザ装置ＵＥに指示してもよい。
【００６３】
ステップ３０２の判定結果がＮｏ、すなわち、仮想ＳＣｅｌｌが自分の管理下のセルではない場合、仮想ＳＣｅｌｌ情報を廃棄する（ステップ３０６）。また、ここでＭｅａｓｕｒｅｍｅｎｔ  Ｇａｐの設定ありで、ＳＣｅｌｌ候補測定をユーザ装置ＵＥに指示してもよい。
【００６４】
（実施の形態のまとめ）
以上、説明したように、本実施の形態によれば、キャリアアグリゲーションをサポートする移動通信システムにおいて基地局と通信を行うユーザ装置であって、過去に測定を行った通信中でないセルのうち、品質が良好であったセルを仮想ＳＣｅｌｌとして管理する管理手段と、前記仮想ＳＣｅｌｌとして管理されるセルの情報を前記基地局に通知する通知手段とを備えるユーザ装置が提供される。
【００６５】
上記の構成により、基地局から測定指示を受信することなく、ＣＡ状態への遷移を行うことが可能となるので、ＣＡ設定手順を簡易化し、当該手順に要する時間を短縮できる。
【００６６】
前記管理手段は、前記基地局からの指示に基づいて、前記仮想ＳＣｅｌｌとして管理されているセルをキャリアアグリゲーションのＳＣｅｌｌとして設定するようにしてもよい。この構成によれば、基地局からの指示に基づいて、仮想ＳＣｅｌｌのセルをＳＣｅｌｌとして設定できるので、基地局判断に基づく適切なＣＡ設定を行うことができる。
【００６７】
前記管理手段は、例えば、前記測定により得られた品質が所定閾値よりも良好なセルの情報を格納する格納手段と、前記格納手段に情報が格納されているセルのうち、前記ユーザ装置の能力によりキャリアアグリゲーションに使用可能であるセルの情報を仮想ＳＣｅｌｌの情報として管理する仮想ＳＣｅｌｌ処理手段とを備える。この構成により、品質の良かったセルのうち、ユーザ装置の能力に見合ったセルのみをキャリアアグリゲーションで使用するセルの候補とすることができる。
【００６８】
前記管理手段は、前記基地局から測定指示を受信した場合に、前記仮想ＳＣｅｌｌの管理を解除する。この構成により、仮想ＳＣｅｌｌの管理の有無を明確にすることができる。
【００６９】
前記管理手段は、前記セルを前記仮想ＳＣｅｌｌとして管理する場合に、前記ユーザ装置の無線部に対して、当該セルを非アクティベート化されたＳＣｅｌｌと見なして動作を行うように指示する。この構成により、非アクティベート化されたＳＣｅｌｌがあるＣＣ（周波数）の測定の規定を適用した動作を行うことができる、すなわち、当該周波数のセルをＭｅａｓｕｒｅｍｅｎｔ  ｇａｐの設定を行うことなく測定できる。
【００７０】
また、本実施の形態により、キャリアアグリゲーションをサポートする移動通信システムにおいてユーザ装置と通信を行う基地局であって、前記ユーザ装置において過去に測定を行った通信中でないセルのうち、品質が良好であったセルが仮想ＳＣｅｌｌとして管理される場合に、当該仮想ＳＣｅｌｌとして管理されるセルの情報を前記ユーザ装置から受信する受信手段と、前記仮想ＳＣｅｌｌとして管理されるセルの情報に基づいて、前記ユーザ装置に対して当該セルをＳＣｅｌｌとして追加するか否かを判定する判定手段とを備える基地局が提供される。
【００７１】
この構成により、移動通信システムにおいて、ＣＡを設定する手順を簡易化することが可能となる。
【００７２】
前記判定手段は、例えば、前記仮想ＳＣｅｌｌとして管理されるセルが前記基地局の配下のセルであり、かつ、当該セルの品質が十分に良い場合に、前記ユーザ装置に対して当該セルをＳＣｅｌｌとして追加すると判定することができる。この構成により、適切にＳＣｅｌｌとして追加できるセルの判定を行うことができる。
【００７３】
本実施の形態で説明したユーザ装置ＵＥは、ＣＰＵとメモリを備え、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【００７４】
本実施の形態で説明した基地局ｅＮＢは、ＣＰＵとメモリを備え、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【００７５】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。説明の便宜上、基地局ｅＮＢ及びユーザ装置ＵＥは機能的なブロック図を用いて説明されたが、そのような装置はハードウェアで、ソフトウェアで又はそれらの組み合わせで実現されてもよい。本発明の実施の形態に従ってユーザ装置ＵＥが有するプロセッサにより動作するソフトウェア、及び、基地局ｅＮＢが有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【００７６】
本発明は上記実施形態に限定されず、本発明の精神から逸脱することなく、様々な変形例、修正例、代替例、置換例等が本発明に包含される。
【符号の説明】
【００７７】
ｅＮＢ  基地局
ＵＥ  ユーザ装置
１０１  ＤＬ信号受信部
１０２  ＵＬ信号送信部
１０３  測定制御部
１０４  ＣＡ制御部
２０１  無線部
２０２  Ｌ２処理部
２０３  ＲＲＣ処理部
２１３  測定結果管理部
２２３  仮想ＳＣｅｌｌ処理部
３０１  ＤＬ信号送信部
３０２  ＵＬ信号受信部
３０３  仮想ＳＣｅｌｌ情報処理部
３０４  ＣＡ制御部
【図１】
0006381407.tif 000002
【図２】
0006381407.tif 000003
【図３】
0006381407.tif 000004
【図４】
0006381407.tif 000005
【図５】
0006381407.tif 000006
【図６】
0006381407.tif 000007
【図７】
0006381407.tif 000008
【図８】
0006381407.tif 000009
【図９】
0006381407.tif 000010